(57)【特許請求の範囲】
【請求項１】
情報記憶媒体を収納する情報記憶媒体収納部を有する情報記憶媒体収納体において、紙材料よりなる基板シートと、該基板シートと略同寸法で略中央部分を非貼着部分とし、その他の周囲を全て貼着する被覆シートと、前記基板シートと被覆シートの非貼着部分よりなる情報記憶媒体収納部と、該情報記憶媒体収納部の基板シート側に設けられた開口部と、を有し前記基板シートはメートル平方１０４．１ｇ〜１５７ｇの重量の紙であり、前記被覆シートは厚さが１０ミクロン〜５０ミクロンであることを特徴とする情報記憶媒体収納体。
【請求項２】
前記基板シートはメートル平方１２７．９ｇ〜１５７ｇの重量の紙であり、前記被覆シートは厚さが２０ミクロン〜３０ミクロンであることを特徴とする請求項１記載の情報記憶媒体収納体。
【請求項３】
情報記憶媒体と、該情報記憶媒体を収納した情報記憶媒体収納部と、前記基板シートの被覆シートと対向する側であって、開口部を封止する位置に貼着した封止部材と、を有することを特徴とする請求項１記載又は請求項２記載の情報記憶媒体収納体。
【請求項４】
前記記憶媒体収納体の上辺又は下辺に切欠部を設けたことを特徴とする請求項１乃至請求項３のいずれか一つに記載の情報記憶媒体収納体。
【請求項５】
請求項１乃至請求項４記載のいずれか一つの情報記憶媒体収納体を綴じていることを特徴とする冊子体。
【請求項６】
前記冊子体は、無線綴じ方式で情報記憶媒体収納体を綴じていることを特徴とする請求項５記載の冊子体。
【発明の詳細な説明】
【０００１】
【発明の属する技術分野】
本願発明は情報記憶媒体を収納した情報記憶媒体収納体及び冊子体に関し、更に詳細には、薄板型情報記憶媒体を収納した情報記憶媒体収納体及びそれを綴じた冊子体に関する。
【０００２】
【従来の技術】
従来よりＦＤ、ＣＤ等に代表される薄板型情報記憶媒体を収納する場合、例えばＣＤ収納用凹部を有する本体と、この本体に開閉可能に連結された蓋体とからなる透明なプラスチックケースが一般に用いられている。しかしながら、ＣＤ等は、近年、パンフレットと共に頒布、販売されたり、月刊誌、週刊誌等に添付されて店頭に陳列しつつ頒布、販売されたりする等、その流通形態が種々の分野に拡大されつつある。そのため、従来のプラスチックケースでは、例えばＣＤをパンフレットと共に頒布するような場合には、ケースがかさばって取り扱いが面倒になり、また、ＣＤを月刊誌、週刊誌等に添付する場合には、従来の製本ラインとは別に、ケースを本に貼着するための特別な工程が必要となり、製本工程が複雑化し、コストが上昇するという課題が生じ、しかもプラスチックケース自体の厚みで本自体がかさばるという課題があった。
【０００３】
【発明が解決しようとする課題】
そこで、これらの課題を解決するために、実用新案登録第３０２４３４５号が提案されている。これは雑誌綴込み用収納部付き板紙であって、その表面の全体がプラスチックフイルムで被覆接着され、該被覆された非接着部分からなる収納部を有し、該収納部のフイルム部分の少なくとも１辺若しくは１端に開口部を有するものである。しかしながら、実用新案登録第３０２４３４５号は次のような課題を有していた。
【０００４】
すなわち、被覆するフイルムに開口部を設けたため、収納されるＣＤ等の情報記憶媒体の重量により、この開口部から被覆するフイルムが破損しやすいと言う課題を有していた。また、その課題に対する対策として実用新案登録第３０２４３４５号は開口部の両端を圧着若しくは熔着することを提案しているが、この場合は圧着若しくは熔着工程を必要とするため、特別な設備を用いた新たな工程を増加させる必要があり、コストが向上するという課題を有していた。更に出願人の実験によれば、収納されるＣＤ等の情報記憶媒体の重量による破損を防止するには被覆するフイルムを厚くして強度を持たせないと製本工程又は流通工程での破損防止が不確実であり、そのため被覆するフイルムを厚くして強度を持たせると、その強度によりフイルムの柔軟性が失われてＣＤ収納部にＣＤを挿入しにくくなり、ＣＤ収納工程の能率が低下するという課題を有していた。
【０００５】
本願発明はかかる課題に鑑みなされたものであって、本願発明の課題となるところは、被覆するフイルムを薄くして柔軟性を保持し、ＣＤ等情報記憶媒体収納部に情報記憶媒体を挿入する工程の能率を低下させず、かつ、被覆するフイルムの破損を防止可能な情報記憶媒体収納体及びそれを綴じた冊子体を提供することにある。
【０００６】
【課題を解決するための手段】
前記課題を解決するために、本願発明の請求項１は、情報記憶媒体を収納する情報記憶媒体収納部を有する情報記憶媒体収納体において、紙材料よりなる基板シートと、該基板シートと略同寸法で略中央部分を非貼着部分とし、その他の周囲を全て貼着する被覆シートと、前記基板シートと被覆シートの非貼着部分よりなる情報記憶媒体収納部と、該情報記憶媒体収納部の基板シート側に設けられた開口部と、を有し前記基板シートはメートル平方１０４．１ｇ〜１５７ｇの重量の紙であり、前記被覆シートは厚さが１０ミクロン〜５０ミクロンであることを特徴とする情報記憶媒体収納体である。
【０００７】
すなわち、本願発明の請求項１によれば、基板シート側に開口部を有するため、被覆シートは何の切れ目もなく一枚のシートとなり、被覆シートに加わる力が切れ目等に集中することなく全体に分散し、被覆シートの破損を防止することが可能である。そのため、被覆シート自体を薄くして柔軟性を持たせ、ＣＤ等情報記憶媒体を収納した際に、被覆シートが伸びることでそれを収納したとしても、被覆シートによる抵抗は小さく、情報記憶媒体を挿入する工程の能率低下を防止することが可能である。
【０００８】
ここで、情報記憶媒体とは、薄板状の情報記憶媒体であれば例えばＦＤ（フレキシブルディスク）、ＭＯ等でも良いが、主に薄板円盤状情報記憶媒体であることが多く、例えばＣＤ等に含まれる音楽ＣＤ、ＣＤ−ＲＯＭ、ＣＤ−Ｇ、ＣＤ−Ｉ、ＣＤＶ、フォトＣＤ、カラオケＣＤ、ビデオＣＤ、ＣＤ−ＩＤＶ、ＬＤ、ＤＶＤ等がある。
【０００９】
ここで、被覆シートの材料としては例えばポリエチレンテレフタレート、ポリエステル、ポリプロピレン等公知のプラスチックシートが使用可能である。また、その色は何れの色でもかまわないが、購買者が情報記憶媒体の収納を確認し、かつ、内容を確認する等の目的で情報記憶媒体表面の印刷を読めるようにするには透明であることが好ましい。また、その厚さはＣＤ等情報記憶媒体を収納した際に、被覆シートが伸びることでそれを収納し易い厚さであれば良く、機能としては１０ミクロン以上１００ミクロン以下の範囲で選択可能だが、材料費低減と挿入作業効率を考慮すれば５０ミクロン以下が好ましい。特に基板シートと被覆シートの貼着作業効率、情報記憶媒体の挿入作業効率、破損に対する安全性、材料費の低減等を考慮すると、２０ミクロン以上３０ミクロン以下が最も好ましかった。
【００１０】
また、本願発明の請求項２では、前記基板シートはメートル平方１２７．９ｇ〜１５７ｇの重量の紙であり、前記被覆シートは厚さが２０ミクロン〜３０ミクロンであることを特徴とする請求項１記載の情報記憶媒体収納体である。
請求項２は、基板シートの紙の重量と被覆シートの厚さを最も好ましい範囲に限定したもので請求項１と作用効果は同様である。
【００１１】
また、本願発明の請求項３では、情報記憶媒体と、該情報記憶媒体を収納した情報記憶媒体収納部と、前記基板シートの被覆シートと対向する側であって、開口部を封止する位置に貼着した封止部材とを有することを特徴とする請求項１又は請求項２記載の情報記憶媒体収納体である。
【００１２】
すなわち、本願発明の請求項３によれば、基板シートの被覆シートと対向する側であって、開口部を封止する位置に貼着した封止部材とを有することで、情報記憶媒体の流通段階での落ち、盗難等を防止することが可能である。特に、本願発明による情報記憶媒体収納体は収納したＣＤ等情報記憶媒体の厚みを柔軟性を有する程に薄い被覆シートで吸収する構成を採用しているため、基板シート自体はＣＤ等情報記憶媒体の厚みによる影響をあまり受けずにすみ、基板シートにシール等封止部材を容易に貼着することが可能であり、また、ＣＤ等情報記憶媒体の厚みによる影響を受けて貼着後にシール等封止部材が徐々にずれて行くことを防止することが可能である。特に、貼着後にシール等封止部材が徐々にずれて行くという課題は重要であり、製造工程では何ら異常が無くても流通工程を経て購買者の手に届くときには異常が発生し、ずれて接着剤の露出した部分が冊子体の他の頁に貼着して不良品になるなどの課題が発生していた。従来の情報記憶媒体収納体はこのような課題に対して、ＣＤ等情報記憶媒体の厚みによる影響を受けてシール等封止部材が徐々にずれて行くことを防止するために、材料費と加工費が高くなるという課題があるにもかかわらずスペーサーに相当する部材を採用することでＣＤ等情報記憶媒体の厚さが嵌合するスペースを特別に設けたり、特別な設備と工程が必要で加工費が高くなるという課題があるにもかかわらず厚めの被覆シートに筋押加工等加熱をともなう加工を追加で施して一部だけに柔軟性を持たせたり、材料費が高くなり商品デザインが限定されるという課題があるにもかかわらず基板シート全体を他のシートや冊子体の頁に貼着して貼着面積を大きくするなどの対策を採用していたが、本願発明の情報記憶媒体収納体の場合には、例えば市販のセロファンテープの幅程度の貼着面積でも十分にシール等封止部材のずれを防止可能であり、材料費を抑制すると同時に特別な設備と工程を必要とせず、商品デザインの限定も回避可能である。
【００１３】
また、本願発明の請求項４は、前記記憶媒体収納体の上辺又は下辺に切欠部を設けたことを特徴とする請求項１乃至請求項３のいずれか一つに記載の情報記憶媒体収納体である。
このような構成とすることにより、上下が逆転した場合に容易に発見することが可能となる。
【００１４】
また、本願発明の請求項５は、請求項１乃至請求項４記載のいずれか一つの情報記憶媒体収納体を綴じていることを特徴とする冊子体である。
【００１５】
すなわち、本願発明の請求項１乃至請求項４記載のいずれか一つの情報記憶媒体収納体を冊子体に綴じ込む場合、基板シートの紙の重量が軽い（すなわち薄い紙となる）と、その製造工程においてＣＤ等情報記憶媒体の重量によって情報記憶媒体収納体が曲がってしまい所定の位置に所定の形状で綴じることができないという課題が発生した。この課題について図５を用いて説明する。図５は一般的な無線綴じ冊子体の製造工程の一部を示す概略図である。図５において、５０１は無線綴じ冊子体の製造工程、５０２は重ねられた折丁束、５０３は重ねられた折丁束、５０４は重ねられた折丁束、５０５は丁合途中の折丁重体、５０６は丁合途中の折丁重体、５０７は丁合途中の折丁重体、５０８は丁合終了後の折丁重体、５０９は一辺が少し起こされた折丁重体、５１０は一辺が更に起こされた折丁重体、５１１は縦になった折丁重体、５１２は縦になった折丁重体、５１３は背となる部分にガリを切るガリ切り装置、５１４は縦になりガリを切られた折丁重体、５１５はガリ部分に糊を塗布する糊付け装置、５１６は縦になりガリを切られて糊を塗布された折丁重体、５１７は表紙である。図８において製造工程は矢印の順に進んでいき、重ねられた折丁束５０２、５０３、５０４より一部ずつ抜き取られた折丁がコンベア上で一丁ずつ重ねられて丁合途中の折丁重体５０５、５０６、５０７となっていく。本願発明の情報記憶媒体収納体は、情報記憶媒体を収納した状態で、例えば５０２、５０３、５０４の何れかに折丁として重ねられており、一部ずつ抜き出されて折丁重体の一部を構成する。尚、重ねられた折丁束５０２、５０３、５０４は異なる印刷が施された折丁で一般的には１６頁分が印刷されており、また、実際に冊子体を構成する折丁の種類は１０〜３０程度なので重ねられた折丁束の数は図５よりも多くなる。
【００１６】
丁合終了後の折丁重体５０８はコンベア上を矢印方向に進むつれて５０９、５１０で示すように少しずつ起こされて５１１に示す如く縦に起こされる。これは各折丁の自重を利用して背の位置を揃えるための工程である。背が揃った折丁重体５１２はガリ切り装置５１３によりガリ（折丁の最も内側頁を露出させるために入れる筋状に切り込み）が切られ、ガリを切られた折丁重体５１４は糊付け装置５１５（通常はホットメルトを塗布する）により糊を塗布され、ガリを切られて糊を塗布された折丁重体５１６は表紙５１７と接着される。図示していないがこの後、三方を断裁して冊子体が構成される。
【００１７】
本願発明のＣＤ等情報記憶媒体の重量によって情報記憶媒体収納体が曲がってしまい所定の位置に所定の形状で綴じることができないという課題は図５の丁合終了後の折丁重体５０８はコンベア上を矢印方向に進むつれて５０９、５１０で示すように少しずつ起こされて５１１に示す如く縦に起こされる工程で発生する。つまり、各折丁の自重を利用して背の位置を揃えなけれは各折丁を糊で表紙と接着することが困難になるため、必然的に各折丁同士は下に落ちる程度にしか接触しておらず、その中に情報記憶媒体収納体があるとＣＤ等情報記憶媒体の重量によって情報記憶媒体収納体が曲がってしまう。
【００１８】
そこで、本願発明の請求項１では、前記基板シートは、その重量がメートル平方１０４．７ｇ〜１５７ｇ（１ｍ×１ｍの面積の重量が１０４．７ｇ〜１５７ｇ）の範囲の紙とすることで、また、本願発明の請求項２では、その重量がメートル平方１２７．９ｇ〜１５７ｇの範囲の紙とすることで、基板シートに剛性を付与し、図５に示す製造工程中のＣＤ等情報記憶媒体の重量によって情報記憶媒体収納体が曲がらず所定の位置に所定の形状で綴じることを可能としている。特に本願発明の場合、被覆シートを薄くしているため、他の情報記憶媒体収納体の如く被覆シートによる剛性を考慮することが困難であり、剛性は基板シートにり付与する必要がある。すなわち、出願人の実験によれば、最も一般的な１２ｃｍＣＤの場合、メートル平方７９．１ｇで許容範囲の不良率ギリギリとなり、メートル平方１０４．７ｇで若干安定して生産が可能となり、メートル平方１２７．９ｇで比較的安定して生産が可能となり、メートル平方１５７ｇでかなり安定して生産が可能となった。また、より軽量の８ｃｍＣＤの場合にはメートル平方７９．１ｇで若干安定して生産が可能であった。無論、基板シート自体は厚ければ厚い程安定して生産が可能となるが、その分材料費が高くなるため、安定して生産が可能で、材料費を抑制し、複数種類の情報記憶媒体に共通して使用するにはメートル平方１０４．７ｇ以上、メートル平方１５７ｇ以下の基板シートが好ましく、特に、安定性を更に向上させるにはメートル平方１２７．９ｇ以上、メートル平方１５７ｇ以下の基板シートが特に好ましいがこれに限定するものでは無く、材料費を抑制せずメートル平方１５７ｇより重い基板シートを採用しても本願発明の範囲である。尚、メートル平方１２７．９ｇは四六判で連量１１０ｋｇ、メートル平方１５７ｇは四六判で連量１３５ｋｇと呼ばれることもある。
【００１９】
ここで、基板シートの材料は例えば、一般的に上質紙、中質紙、アート紙、コート紙、アートポスト紙、マットコート紙、軽量コート紙、純白ロール紙、板紙としてコートボール、ノーコートボール、コートマニラ、アイボリー、両面カード等の名称で呼ばれたものがあり、更にユポ等の合成紙があるがこれに限定するものでは無い。
【００２０】
ここで、冊子体の綴じ方としては図５に例示した無線綴じ以外に、例えば、針金を使用する平綴じ、糸を使用する糸かがり綴じ等がある。これらは、糊以外の綴じ方を行なうため、背が若干不揃いでも綴じることが可能で無線綴じに比較して一見効果が若干劣るように見えるが、実際にはその製造工程に立てて背を揃える工程を有して品質を安定させておおり、本願発明の範囲となることは言うまでも無い。尚、無線綴じの一種であるがガリ工程に換えてミシン工程を使用するアジロ綴じの場合も同様に製造工程に縦て背を揃える工程を有しており、本願発明の範囲となる。
【００２１】
また、本願発明の請求項６は、前記冊子体は、無線綴じ方式で情報記憶媒体収納体を綴じていることを特徴とする請求項５記載の冊子体である。
すなわち、前述の如く、基板シートは、その重量がメートル平方１０４．７ｇ〜１５７ｇの範囲の紙又はメートル平方１２７．９ｇ〜１５７ｇの範囲の紙とすることで、基板シートに剛性を付与し図５に例示した製造工程中のＣＤ等情報記憶媒体の重量によって情報記憶媒体収納体が曲がらず所定の位置に所定の形状で綴じることを可能としている。
【００２２】
【発明の実施の形態】
以下、本願発明の実施の形態を図面に従って説明する。
図１（Ａ）は、本願発明の情報記憶媒体収納体を示す概略図の正面図であり、図１（Ｂ）は、本願発明の情報記憶媒体収納体を示す概略図の点線ａ−ａでの断面図である。
図１において、１は情報記憶媒体を収納した情報記憶媒体収納体、２は透明な被覆シート、３は基板シート、４は基板シート３と被覆シート２の貼着部分、５の点線は基板シート３と被覆シート２の貼着部分と非貼着部分の境界線、６は基板シート３と被覆シート２の略中央部分に設けられた非貼着部分、７は情報記憶媒体であるＣＤ、８は基板シート３に設けられた開口部である切り込み線、９は封止部材であるセロファンテープ、１０は製造工程中に上下が逆になった際に発見するための切欠部、１１は情報記憶媒体収納体１の左辺、１２は情報記憶媒体収納体１の右辺、１３は情報記憶媒体７の半径と非貼着部分６の下部の半径の差、１４は開口部８と境界線５の間隔である。
【００２３】
図１において、情報記憶媒体収納体１は基板シート３と被覆シート２を貼着部分４で貼着してなり、境界線５を境界として非貼着部分６がポケット状に設けられている。非貼着部分６はＣＤである情報記憶媒体７の形状を考慮して半円状の下部を採用しており、その半径は収納時の伸縮を持たせるため半径を３ｍｍ以上７ｍｍ以下、情報記憶媒体の半径より大きくしてある必要があり、本実施の形態の場合、半径の差１３は５ｍｍを採用している。開口部８は本実施の形態では切り込み線を採用して、非貼着部分６内に設けられており、境界線５との間隔１４は２ｍｍ以上６ｍｍ以下で、４ｍｍを採用している。封止部材９は  基板シート３の被覆シート２と対向する側であって、開口部８を封止する位置に貼着している。切欠部１０は上下が逆転した場合容易に発見するためのもので図５の重ねられた折丁束５０２、５０３、５０４の如く、複数枚重ねて供給する際に一枚でも上下が逆転していると直ちに発見できるという効果がある。特に、本願発明の情報記憶媒体収納体の形態では、情報記憶媒体を情報記憶媒体収納体に挿入する作業は情報記憶媒体の表面に傷が付くことを防止するため機械化が難しく、人手によることが多い。そのため、上下位置の揃えは人間が行なうこととなり、このような切欠部１０の存在する効果は極めて大きいものとなる。
【００２４】
図１において、情報記憶媒体７は開口部８より挿入されて、非貼着部分６に収納され、図１（Ｂ）に示す如く、被覆シート２の一部を伸縮させて収納させ、収納時においても基板シート３は歪むことがなく、従って、封止部材９にかかる力は極めて小さく、流通段階を経て購買者の手に渡ったとしても、封止部材９の位置がずれることは無い。また、被覆シート２は全体が一枚のシートとなっておりどこにも切れ目が無く、その切断面は全て基板シートと接着されているため、薄いプラスチックフィルムを採用しても情報記憶媒体７の重量程度で破損することは無い。
【００２５】
図１において、基板シート３と被覆シート２の貼着方法としては、基板シート３又は被覆シート２に部分的に接着剤を塗布して接着する方法と、基板シート３又は被覆シート２に部分的に剥離剤を塗布し相手方全面に接着剤を塗布する方法の２通りが採用可能である。本実施の形態では、基板シート３に部分的に接着剤を塗布した後、被覆シートと重ねて加熱プレス工程により接着、その後に打ち抜き工程で情報記憶媒体収納体を生産する方法を採用している。この理由は、剥離剤を採用する方法は一方に接着剤が残るため、接着剤と情報記憶媒体が接着してしまう可能性を否定しきれず若干不安定さが残るためである。また、基板シート３は開口部８を打ち抜いた後に接着剤を塗布することとなり、その切り込み部分に接着剤が侵入してしまう可能性も有りあまり好ましくない。だだし、これらの課題は若干の不安定性を付与するだけで現実的には十分に選択可能な生産方法であり本願発明においても一応採用可能である。また、基板シート３に部分的に接着剤を塗布したのは、被覆シートが薄いため部分的に接着剤を塗布する作業の効率が低いこと、開口部８が非貼着部分にあり接着剤が塗布されないこと、剛性を付与するため基板シートが比較厚く接着剤塗布作業の効率が高いためである。
【００２６】
図１において、情報記憶媒体収納体１の左辺１１又は右辺１２の何れかが綴じ込まれる。そのため、ガリをとるためのガリしろを必要としており、少なくとも３ｍｍ以上の接着部分を取ることが好ましく、本実施の形態では１５ｍｍを採用している。尚、本実施の形態における情報記憶媒体収納体は右綴じと左綴じの何れにも対応可能なように左右対象に構成されている。また、切込部１０は左右辺には設けず上下辺に設けた方が好ましく本実施の形態では下辺に設けている。これは、ガリを切り接着する辺に切込部１０があるとその部分だけ接着剤が塗布されず、綴じ込み強度が低下するためである。
【００２７】
図２は、本願発明の情報記憶媒体収納体を示す概略図の裏面図である。
図２において図１と同一の番号を付した物は同様のものであり、番号の説明を省略する。
図２において、封止部材９は長矩形状の形状をしており、開口部８の両端を残して封止している。本実施の形態では封止部材９はセロファンテープを採用しているがこれに限定するものでは無く、シール等封止かのねであれば何れのものでも良い。
【００２８】
図３は、本願発明の情報記憶媒体収納体を綴じ込んだ無線綴じ本の概略図である。
図３において、図１と同一の番号を付した物は同様のものであり、番号の説明を省略する。図３において、２１は無線綴じ本、２２は無線綴じ本の背部分、２３は無線綴じ本の各頁である。
図３に示す如く、情報記憶媒体７を収納した情報記憶媒体収納体１は無線綴じ本２１の１頁として任意の位置に綴じ込まれる。尚、本実施の形態において、情報記憶媒体収納体１は左綴じを採用しているがこれに限定するものではない。
【００２９】
図４（Ａ）は、本願発明の情報記憶媒体収納体を示す概略図の正面図であり、図４（Ｂ）は、本願発明の情報記憶媒体収納体を示す概略図の点線ａ−ａでの断面図である。
図４において、図１と同一の番号を付した物は同様のものであり、番号の説明を省略する。
図４に示す如く、本願発明は１頁に複数の情報記憶媒体を収納することが可能であり、その場合は、非貼着部分６、開口部８を複数用意することで、同一工程で製作することが可能である。
【００３０】
【発明の効果】
本願発明の請求項１によれば、基板シート側に開口部を有するため、被覆シートは何の切れ目もなく一枚のシートとなり、被覆シートに加わる力が切れ目等の集中することなく全体に分散し、被覆シートの破損を防止することが可能であるという作用効果を奏する。そのため、被覆シート自体を薄くして柔軟性を持たせ、ＣＤ等情報記憶媒体を収納した際に、被覆シートが伸びることでそれを収納したとしても、被覆シートによる抵抗は小さく、情報記憶媒体を挿入する工程の能率低下を防止することが可能であるという作用効果を奏する。
【００３１】
また、本願発明の請求項２によれば、基板シートの紙の重量と被覆シートの厚さを最も好ましい範囲に限定したので請求項１と作用効果は同様である。
【００３２】
また、本願発明の請求項３によれば、基板シートの被覆シートと対向する側であって、開口部を封止する位置に貼着した封止部材とを有することで、情報記憶媒体の流通段階での落ち、盗難等を防止することが可能であるという作用効果を奏する。特に、本願発明による情報記憶媒体収納体は収納したＣＤ等情報記憶媒体の厚みを柔軟性を有する程に薄い被覆シートで吸収する構成を採用しているため、基板シート自体はＣＤ等情報記憶媒体の厚みによる影響をあまり受けずにすみ、基板シートにシール等封止部材を容易に貼着することが可能であり、また、ＣＤ等情報記憶媒体の厚みによる影響を受けて貼着後にシール等封止部材が徐々にずれて行くことを防止することが可能である。特に、貼着後にシール等封止部材が徐々にずれて行くという課題は重要であり、製造工程では何ら異常が無くても流通工程を経て購買者の手に届くときには異常が発生し、ずれて接着剤の露出した部分が冊子体の他の頁に貼着して不良品になるなどの課題が発生していた。従来の情報記憶媒体収納体はこのような課題に対して、ＣＤ等情報記憶媒体の厚みによる影響を受けてシール等封止部材が徐々にずれて行くことを防止するために、材料費と加工費が高くなるという課題があるにもかかわらずスペーサーに相当する部材を採用することでＣＤ等情報記憶媒体の厚さが嵌合するスペースを特別に設けたり、特別な設備と工程が必要で加工費が高くなるという課題があるにもかかわらず厚めの被覆シートに筋押加工等加熱をともなう加工を追加で施して一部だけに柔軟性を持たせたり、材料費が高くなり商品デザインが限定されるという課題があるにもかかわらず基板シート全体を他のシートや冊子体の頁に貼着して貼着面積を大きくするなどの対策を採用していたが、本願発明の情報記憶媒体収納体の場合には、例えば市販のセロファンテープの幅程度の貼着面積でも十分にシール等封止部材のずれを防止可能であり、材料費を抑制すると同時に特別な設備と工程を必要とせず、商品デザインの限定も回避可能であるという作用効果を奏する。
【００３３】
また、本願発明の請求項４によれば、前記記憶媒体収納体の上辺又は下辺に切欠部を設けたことにより、上下が逆転した場合に容易に発見することが可能となる。
【００３４】
また、本願発明の請求項５によれば、基板シートは、その重量がメートル平方１０４．１ｇ〜１５７ｇ又は、メートル平方１２７．９ｇ〜１５７ｇの範囲の紙とすることで、基板シートに剛性を付与し、図５に示す製造工程中のＣＤ等情報記憶媒体の重量によって情報記憶媒体収納体が曲がらず所定の位置に所定の形状で綴じることを可能とするという作用効果を奏する。
【００３５】
また、本願発明の請求項６によれば、基板シートは、その重量がメートル平方１０４．１ｇ〜１５７ｇ又は、メートル平方１２７．９ｇ〜１５７ｇの範囲の紙とすることで、基板シートに剛性を付与し、図５に示す製造工程中のＣＤ等情報記憶媒体の重量によって情報記憶媒体収納体が曲がらず所定の位置に所定の形状で綴じることを可能とするという作用効果を特に高く奏する。
【図面の簡単な説明】
【図１】（Ａ）本願発明の情報記憶媒体収納体を示す概略図の正面図である。
（Ｂ）本願発明の情報記憶媒体収納体を示す概略図の点線ａ−ａでの断面図である。
【図２】本願発明の情報記憶媒体収納体を示す概略図の裏面図である。
【図３】本願発明の情報記憶媒体収納体を綴じ込んだ無線綴じ本の概略図である。
【図４】（Ａ）本願発明の情報記憶媒体収納体を示す概略図の正面図である。
（Ｂ）本願発明の情報記憶媒体収納体を示す概略図の点線ｂ−ｂでの断面図である。
【図５】一般的な無線綴じ冊子体の製造工程の一部を示す概略図である。
【符号の説明】
１…情報記憶媒体収納体、２…被覆シート、３…基板シート、４…貼着部分、５…貼着部分と非貼着部分の境界線、６…略中央部分に設けられた非貼着部分、７…情報記憶媒体、８…開口部、９…封止部材、１０…切欠部、１１…情報記憶媒体収納体１の左辺、１２…情報記憶媒体収納体１の右辺、１３…情報記憶媒体７の半径と非貼着部分６の下部の半径の差、１４…開口部８と境界線５の間隔
【図１】
0003804588.tif 000002
【図２】
0003804588.tif 000003
【図３】
0003804588.tif 000004
【図４】
0003804588.tif 000005
【図５】
0003804588.tif 000006